(57)【要約】【課題】      冷却用容器（蓄冷部材）がク−ラ−ボックス内部に容易に取り付けられる蓄冷部材を提供することである。【解決手段】  蓄冷部材１は、２枚の合成樹脂シ−トの周囲を溶着して形成した袋からなる収納体２の内部に収納部２ａが形成されて収納部２ａ内にゲル状の水溶性ポリマ−からなる保冷剤３を密閉して収納体２に吸盤４が取り付けられて構成され、蓄冷部材１はク−ラ−ボックス５等の内部に吸盤４で吸着されている。  収納体２の周縁部２ｂを溶着して収納部２ａに保冷剤３を密閉収納すると、収納部２ａが形成された中央側が膨出し周縁部２ｂに中央部に比べて薄肉の突片２ｃが形成され、この突片２ｃに貫通孔２ｄを設け、この貫通孔２ｄを介して吸盤４が取り付けられる。【選択図】        図１
2007263537.tif 000002
【特許請求の範囲】
【請求項１】
吸盤を有し、該吸盤にてク−ラ−ボックス等の内部に取り付け可能な蓄冷剤を収納した収納体からなることを特徴とする蓄冷部材。
【請求項２】
吸盤は収納体に設けた孔に係合して取り付けたことを特徴とする請求項１記載の蓄冷部材。
【請求項３】
吸盤は収納体に設けた孔に回動可能に係合していることを特徴とする請求項２記載の蓄冷部材。
【請求項４】
収納体は蓄冷剤の収納部を貫通する孔を有し、吸盤を前記孔を介して取り付けたことを特徴とする請求項２または３記載の蓄冷部材。
【請求項５】
収納体は周縁部に突片が形成され、前記突片は孔を有し、吸盤は前記突片の孔を介して取り付けられていることを特徴とする請求項２または３記載の蓄冷部材。
【発明の詳細な説明】
【技術分野】
【０００１】
本発明は、ク−ラ−ボックス等の内部に取り付ける蓄冷部材に関する。
【背景技術】
【０００２】
従来から魚釣りやスポ−ツ、レジャ−においてク−ラ−ボックスに収納したものの冷却状態を維持するために蓄冷部材が用いられている。
これらの多くは、合成樹脂の袋または容器にゲル状の水溶性ポリマ−を密閉したもので、これを冷蔵庫等で冷却し、凍った状態でク−ラ−ボックスに収納して持参していた。
ところが、出かけるときにク−ラ−ボックスに何も収納していないことが多く、蓄冷部材がク−ラ−ボックス内部で移動しやすい。
しかも、蓄冷部材は凍って固く、ク−ラ−ボックスが傾くたびに内部で移動し、内壁にぶつかることでク−ラ−ボックスの内壁を傷めてしまい、時には内壁にヒビが入って水漏れの原因になっていた。
容器内に冷却用容器（蓄冷部材）を着脱自在に取り付けた保冷容器が特許文献１で紹介されているが、この保冷容器は蓋体に設けた取り付け用ベルトで取り付けるようになっており、このベルトによる取り付けに適した冷却用容器でないと取り付けができない。
しかも、ク−ラ−ボックスの多くは収納部を形成する容器本体内部は洗浄しやすいように滑面状に形成されており、冷却用容器の取り付け装置等が設けられていないため、容器本体内部に移動を規制して取り付けることができなかった。
【特許文献１】実開昭５４−５７５７２号公報
【発明の開示】
【発明が解決しようとする課題】
【０００３】
解決しようとする問題点は、特許文献１の冷却用容器（蓄冷部材）取付構造では、取り付け用ベルトによる取り付けに適した冷却用容器でないと取り付けができないことである。
【０００４】
本発明の目的は前記欠点に鑑み、冷却用容器（蓄冷部材）がク−ラ−ボックス内部に容易に取り付けられる蓄冷部材を提供することである。
【課題を解決するための手段】
【０００５】
本発明の請求項１は、吸盤を有し、該吸盤にてク−ラ−ボックス等の内部に取り付け可能な蓄冷剤を収納した収納体からなることを要旨とするものである。
本発明の請求項２は、吸盤は収納体に設けた孔に係合して取り付けたことを要旨とするものである。
本発明の請求項３は、吸盤は収納体に設けた孔に回動可能に係合していることを要旨とするものである。
本発明の請求項４は、収納体は蓄冷剤の収納部を貫通する孔を有し、吸盤を前記孔を介して取り付けたことを要旨とするものである。
本発明の請求項５は、収納体に周縁部に突片が形成され、前記突片は孔を有し、吸盤は前記突片の孔を介して取り付けられていることを要旨とするものである。
【発明の効果】
【０００６】
本発明により、蓄冷部材をク−ラ−ボックス内部に移動を規制して容易に取り付けることができる。
【発明を実施するための最良の形態】
【０００７】
蓄冷部材１は、２枚の合成樹脂シ−トの周囲を溶着して形成した袋からなる収納体２の内部に収納部２ａが形成されて収納部２ａ内にゲル状の水溶性ポリマ−からなる保冷剤３を密閉して収納体２に吸盤４が取り付けられて構成され、蓄冷部材１はク−ラ−ボックス５等の内部に吸盤４で吸着されている。
収納体２の周縁部２ｂにシ−トの合わせ部が突片状に突出しており、周縁部２ｂを溶着して収納部２ａに保冷剤３を密閉収納すると、収納部２ａが形成された中央側が膨出し周縁部２ｂに中央部に比べて薄肉の突片２ｃが形成される。
この突片２ｃに貫通孔２ｄを設け、この貫通孔２ｄを介して吸盤４が取り付けられる。
【実施例１】
【０００８】
以下、図示の実施例によって本発明を説明すると、図１、図２は第１実施例で、図１はク−ラ−ボックス等の内部に吸盤で蓄冷部材が取り付けられた断面側面図、図２（ａ）は蓄冷部材の斜視図で（ｂ）は蓄冷部材の断面側面図である。
【０００９】
蓄冷部材１は、２枚の合成樹脂シ−トの周囲を溶着して形成した袋からなる収納体２の内部に収納部２ａが形成されて収納部２ａ内にゲル状の水溶性ポリマ−からなる保冷剤３を密閉して収納体２に吸盤４が取り付けられて構成され、蓄冷部材１はク−ラ−ボックス５等の内部に吸盤４で吸着されている。
収納体２は２枚の合成樹脂シ−ト６、７の周囲を溶着して形成した袋で、内部に保冷剤３の収納部２ａが形成されてその周縁部２ｂにシ−トの合わせ部が突片状に突出しており、周縁部２ｂを溶着して収納部２ａに保冷剤３を密閉収納すると、収納部２ａが形成された中央側が膨出し周縁部２ｂに中央部に比べて薄肉の突片２ｃが形成される。
この突片２ｃに貫通孔２ｄを設け、この貫通孔２ｄを介して吸盤４が取り付けられる。
吸盤４は柔軟性を有する合成樹脂で形成され、一側端に皿状の吸着部４ａを有し、その他端側に突起状の係合部が形成され、係合部は軸部４ｂと先端に抜け止めとなる太径のヘッド部４ｃを有している。
貫通孔２ｄには吸盤４の軸部４ｂが通されてヘッド部４ｃで抜け止めされている。
ク−ラ−ボックス５は本体５ａと蓋体５ｂからなり、夫々周囲に保温材８が充填されている。
【００１０】
収納体２に吸盤４が取り付けられる時は、吸盤４のヘッド部４ｃを周縁部２ｂの貫通孔２ｄに周縁部２ｂを形成する合成樹脂シ−ト６、７の柔軟性を利用して孔径を押し広げながら差し込んで軸部４ｂを貫通させて取り付ける。
広がった貫通孔２ｄが元の大きさに復元するとヘッド部が開口周辺に当り抜け止めとなって吸盤４が係合される。
ク−ラ−ボックス５の内部に蓄冷部材１が取り付けられる時は、本体５ａ内部の底面に吸盤４の吸着部４ａを押し付けて止着する他、内面の側面や蓋体５ｂの適宜位置に吸盤４の吸着部４ａを押し付けて止着することで保冷効果を向上し、収納物に触れにくくすることができる。
蓄冷部材１の取り付け位置は収納した魚が触れないようにすると、いわゆる冷凍やけが防止できる。
吸盤４は貫通孔２ｄに回動可能に係合しているため、吸盤４をク−ラ−ボックス５内部に取り付けてから吸盤４を中心に収納体２を回動して蓄冷部材１を取り付ける位置や方向を調節できる。
収納体２の周縁部２ｂの突片２ｃは一端側に設けたり、図で上下や左右の対向側に設けたり、また、一周するように設けてもよい。
また、貫通孔２ｄおよび吸盤４は１個でもよいが、複数個設けることが好ましい。
【００１１】
前記のように蓄冷部材１が構成されると、ク−ラ−ボックス５の内部に蓄冷部材１の移動を規制して取り付けることができ、蓄冷部材１がク−ラ−ボックス５内部で移動して内壁にぶつかることで内壁を傷めてしまい破損することが防止される。
【実施例２】
【００１２】
図３、図４は第２実施例で、図３はク−ラ−ボックス等の内部に吸盤で蓄冷部材が取り付けられた断面側面図、図４（ａ）は蓄冷部材の斜視図で（ｂ）は蓄冷部材の断面側面図である。
【００１３】
第２実施例では、蓄冷部材１は合成樹脂をブロ−成型で形成した容器からなる収納体２′の内部に収納部２ｅが形成されて収納部２ｅ内にゲル状の水溶性ポリマ−からなる保冷剤３を密閉して収納体２′に吸盤４が取り付けられて構成され、蓄冷部材１はク−ラ−ボックス５等の内部に吸盤４で吸着されている。
ブロ−成型によって収納体２′を形成した時は、収納体２′の中に柱状体２ｆが架け渡されて柱状体２ｆに貫通孔２ｇが形成されている。
このような収納体２′は、保形性が高く繰り返しの使用が可能となる。
この場合前記第１実施例の合成樹脂シ−ト６、７の収納体２に設けた吸盤４よりも軸部が長いものが用いられ、貫通孔２ｇに差し込んで止着される。
しかし、この場合、吸盤４の軸部が係合可能な凹凸を有して分離するようにし、例えば雄ネジと雌ネジが形成され、貫通孔の両側から取り付けるようにしてもよい。
他の構成は前記第１実施例と略同一である。
【実施例３】
【００１４】
図５は第３実施例で、図５は蓄冷部材の断面側面図である。
【００１５】
第３実施例では、収納体２の２枚の合成樹脂シ−ト６、７の内側のシ−ト６に別体のシ−ト９の周辺を溶着して取り付け別体のシ−ト９の貫通孔９ａに吸盤４が回動自在に止着される。
周辺の吸盤４は収納体２が柔軟性を有して形成されているため、中央の吸盤４をク−ラ−ボックスの内壁に吸着した後、上下の突片２ｃが変形して周辺の吸盤４もク−ラ−ボックスの内壁に吸着する。
又、周辺の吸盤４の軸部の長さを長くすれば３つの吸盤４は同時に吸着することができる。
別体のシ−ト９に吸盤４が止着された蓄冷部材１が使用される時は、予め中央の吸盤４をク−ラ−ボックス等の内部に止着した後収納体２を取り付けてもよい。
他の構成は前記第１実施例と略同一である。
【産業上の利用可能性】
【００１６】
本発明は蓄冷部材全般に利用できる。
【図面の簡単な説明】
【００１７】
【図１】第１実施例で、ク−ラ−ボックス等の内部に吸盤で蓄冷部材が取り付けられた断面側面図である。
【図２】同（ａ）は蓄冷部材の斜視図で（ｂ）は蓄冷部材の断面側面図である。
【図３】第２実施例で、ク−ラ−ボックス等の内部に吸盤で蓄冷部材が取り付けられた断面側面図である。
【図４】同（ａ）は蓄冷部材の斜視図で（ｂ）は蓄冷部材の断面側面図である。
【図５】第３実施例で、蓄冷部材の断面側面図である。
【符号の説明】
【００１８】
１  蓄冷部材
２、２′  収納体
２ａ、２ｅ  収納部
２ｂ  周縁部
２ｃ  突片
２ｄ、２ｇ、９ａ  貫通孔
３  保冷剤
４  吸盤
５  ク−ラ−ボックス
【図１】
2007263537.tif 000003
【図２】
2007263537.tif 000004
【図３】
2007263537.tif 000005
【図４】
2007263537.tif 000006
【図５】
2007263537.tif 000007